(57)【特許請求の範囲】
【請求項１】
被取付面に取着される取付け基台と軒樋を吊り下げ支持する支持部と上記取付け基台と支持部とを連結するアーム部とからなる軒樋支持具であって、該アーム部上面の周囲には平面視略コ字形の堰部が設けられるとともに、この堰部は上記取付け基台より間隔を空けて屋外側に配置され、屋根の先端から落下する雨水が、該堰部の略中央部で受けられるように配設されたものであり、上記アーム部の側面には取付け基台のアーム部付け根部から斜め下方に傾斜する傾斜片が設けられ、上記傾斜片の上端部は上記取付け基台に固定され、この傾斜片が補強部をも構成する軒樋支持具。
【請求項２】
上記堰部を構成する左右両側壁部は下り勾配で先細に傾斜し、その下端がアーム部の上面と略面一となるように設けられた請求項１に記載の軒樋支持具。
【請求項３】
上記支持部の先端には軒樋の前耳部を掛止する前耳支持部が設けられ、支持部の下面部の後端には軒樋の後耳支持部が付設され、上記支持部とアーム部と取付け基台とが合成樹脂から一体的に形成された請求項１に記載の軒樋支持具。
【発明の詳細な説明】
【技術分野】
【０００１】
本願発明は、軒樋を吊り下げ支持する軒樋支持具に関し、特に建物側への雨水の浸入を防止するとともに、アーム部上面に溜まった雨水を軒樋内に案内し、流下させることができる軒樋支持具に関するものである。
【背景技術】
【０００２】
建物の柱や壁、鼻隠し板などの被取付面に各種雨樋、例えば軒樋を取り付ける際に使用する軒樋支持具としては、本願図３に示す吊り下げ式の軒樋支持具が知られている。すなわち、本願図３に示すように、公知の軒樋支持具Ｂは、その本体が被取付面に取着される取付部１ａと軒樋を支持する支持部２ａとからなり、支持部２ａの先端には軒樋の屋外側となる前耳部を支持する前耳支持部２１ａが設けられている。上記支持部２ａは、アーム部３ａによって取付部１ａと連結され、一体的に形成されている。
【０００３】
一方、支持部２ａの下面部２２ａには板バネ片２３ａが延出して設けられるとともに、取付部１ａの屋外側には、係止片１１ａが上方に傾斜して形成され、上記板バネ片２３ａとこの係止片１１ａとが軒樋の屋内側となる後耳部を挟持するように吊り下げて支持し、上記前耳支持部２１ａと共に軒樋を吊り下げ支持する。また、取付部１ａには、複数のビス孔４ａが穿たれ、ビス孔４ａを通る釘、ネジ等の固着具によって被取付面にしっかりと固定される。このようにして、軒樋支持具Ｂは軒先の鼻隠し板などの被取付面に固定され、この軒樋支持具Ｂに軒樋が取り付けられる。
【０００４】
上記被取付面としては、例えば、木製の鼻隠し板あるいは、木製の鼻隠し板を防火対策や美観の面で、鋼板の表面を塩化ビニル樹脂材料にて被覆した化粧鋼板、いわゆる塩ビ鋼板で覆われたものを使用することが多い。
【０００５】
上記のようにして軒樋支持具に吊り下げて支持される軒樋は、通常、弾性を有する合成樹脂から形成されたものが使用され、例えば、硬質塩化ビニル樹脂、ポリカーボネート樹脂、ＡＢＳ樹脂などの樹脂材料から軒樋本体、前耳部、後耳部を一体的に成形したものが用いられる。
【０００６】
ところで、屋根に降った雨水は、軒先に取り付けられた軒樋に流れて、集水ます等を経て竪樋等の排水経路を経て排出される。通常、屋根の先端の真下に軒樋は取り付けられるため、大部分の雨水は上記のルートを経て排水されるが、雨水の一部は図３に示す軒樋支持具Ｂのアーム部３ａに当たって跳ね返り、あるいはアーム部３ａの側縁を伝って走り、鼻隠し板を濡らしたり、軒裏に回り、建物側に浸入し、建物を傷めるおそれがある。また、雫となって滴下し、この雫が、軒裏地面から跳ね返って住宅の基礎を汚すというおそれもある。
【０００７】
このような問題を解決するため、特開平０７−２１７１２０号公報には、雨水を確実に軒樋内に導く軒樋の吊り金具が提案されている。上記特許文献に記載の軒樋の吊り金具は、その第１図に示されているように、軒樋の後端に形成された補強縁上に吊金具を構成する水平片が位置する軒樋の吊金具において、上記水平片の上面に軒先側から軒裏側に走る雨水を堰き止める水切り突起を備えたことを特徴とし、上記水切り突起が軒裏側から軒先側に向かって徐々に下向きに傾斜する稜線とこの稜線を中心にして両側に下向きに傾斜する傾斜面を備えたことを特徴としている。
【特許文献１】特開平０７−２１７１２０号公報
【発明の開示】
【発明が解決しようとする課題】
【０００８】
しかしながら、上記特許文献１に記載の軒樋支持具を用いても、雨水がアーム部の側縁を伝って走り、鼻隠し板を濡らしたり、軒裏に雨水が回る等の問題を解決するには十分とはいえない。本発明は上記背景技術に鑑みてなされたものであり、その目的は、軒樋支持具のアーム部等、略水平の雨水が滞留し易い部分に直接降りかかる雨や、屋根の先端部から落下する雨水が上記略水平部分から軒樋支持具の側面を伝わって、軒裏に回り、建物を傷めたり、雫となって軒裏地面に落ち、跳ね返って住宅の基礎を汚すことのない軒樋支持具を提供することにある。
【課題を解決するための手段】
【０００９】
上記課題を解決するために、本願請求項１記載の発明に係る軒樋支持具は、被取付面に取着される取付け基台と軒樋を吊り下げ支持する支持部と上記取付け基台と支持部とを連結するアーム部とからなる軒樋支持具であって、上記アーム部上面の周囲には平面視略コ字形の堰部が設けられるとともに、この堰部は上記取付け基台より間隔を空けて屋外側に配置され、屋根の先端から落下する雨水が、該堰部の略中央部で受けられるように配設されたものであり、上記アーム部の側面には取付け基台のアーム部付け根部から斜め下方に傾斜する傾斜片が設けられ、上記傾斜片の上端部は上記取付け基台に固定され、この傾斜片が補強部をも構成することを特徴としている。
【００１０】
本願請求項２記載の発明は、上記請求項１記載の軒樋支持具において、上記堰部を構成する左右両側壁部は下り勾配で先細に傾斜し、その下端がアーム部の上面と略面一となるように設けられたことを特徴としている。
【００１２】
本願請求項３記載の発明は、上記請求項１記載の軒樋支持具において、上記支持部の先端には軒樋の前耳部を掛止する前耳支持部が設けられ、支持部の下面部の後端には軒樋の後耳支持部が付設され、上記支持部とアーム部と取付け基台とが合成樹脂から一体的に形成されたことを特徴としている。
【発明の効果】
【００１３】
本願請求項１記載の発明に係る軒樋支持具においては、取付け基台と軒樋を吊り下げて支持する支持部と上記取付け基台と支持部とを連結するアーム部とからなり、上記アーム部上面の周囲には平面視略コ字形の堰部が設けられ、この堰部は上記取付け基台より間隔を空けて屋外側で、屋根の先端から落下する雨水が該堰部の略中央部で受けられるように配設され、上記堰部がアーム部の上面に滴下した雨水を前方に流すため、側面から伝い落ちて鼻隠し板の方に回って軒先部分を傷めることを防ぎ、スムースに軒樋に案内することができる。
さらに、上記アーム部の側面には取付け基台のアーム部付け根部から斜め下方に傾斜する傾斜片が設けられているため、屋根の先端から軒先等内側に回って雫となって滴下する雨水は、この傾斜片によって受けられ、軒樋内に流される。また、この傾斜片は取付け基台とアーム部に亘って連設されているため、補強部としても機能する。
【００１４】
本願請求項２記載の発明に係る軒樋支持具においては、特に、上記堰部を構成する左右の側壁部は下り勾配で先細に傾斜し、下端がアーム部の上面と略面一となるように設けられているため、堰部の下端近傍では、下方のみならず、両サイドに万遍なく雨水が流れ、雨水が一挙に堰部から溢れることなくスムースに軒樋に案内することができる。
【００１６】
本願請求項３記載の発明に係る軒樋支持具においては、特に、上記支持部の先端には軒樋の前耳部を掛止する前耳支持部が設けられ、支持部の下面部の後端には軒樋の後耳支持部が付設されているため、軒樋の前耳部と後耳部とを作業性よく掛止し、軒樋全体を吊り下げ支持することができる。また、上記支持部とアーム部と取付け基台とを合成樹脂から
一体成形することにより、コスト的に有利に、デザイン性に優れた軒樋支持具を得ることができる。
【発明を実施するための最良の形態】
【００１７】
図１は、本願発明の軒樋支持具Ａの実施形態を示す斜視図である。図１に示すように、上記軒樋支持具Ａは、その本体が被取付面に取着される取付け基台１と軒樋を支持する支持部２と上記支持部２と取付け基台１とを連結するアーム部３とからなり、このアーム部３によって取付け基台１と支持部２とはしっかりと固定されている。
【００１８】
上記支持部２の先端には図外軒樋の屋外側となる前耳部を支持する前耳支持部２１が設けられ、支持部２の下面部２２の延出部には軒樋の屋内側となる後耳部を支持する後耳支持部２３が付設され、上記前耳支持部２１と後耳支持部２３とが図外軒樋を吊り下げて支持する。
【００１９】
上記取付け基台１には複数のビス孔６が設けられ、このビス孔６を挿通するビスは被取付面に螺着し、取付け基台１を軒先の鼻隠し板などの被取付面に固着する。このようにして、被取付面に固定された軒樋支持具Ａによって図外軒樋が吊り下げられ、しっかりと支持される。
【００２０】
図１に示すように、上記軒樋支持具Ａの略水平面であるアーム部３の上面の周囲には平面視コ字形に堰部３１が設けられ、この堰部３１は上記取付け基台１よりやや屋外側に配置され、屋根の先端から落下する雨水の一部が、この堰部３１の略中央部で受けられ前方に流されるように、配設されている。このようにすることによって、上記アーム部３の上面に滴下した雨水をアーム部３の側面に溢れて伝い走り、背後に回ることなくスムースに軒樋に案内することができる。
【００２１】
上記堰部３１は左右の側壁部３１１と後壁部３１２とからなり、左右の両側壁部３１１は下り勾配で先細に傾斜し、その下端がアーム部３の上面と略面一となるようにされている。このようにすることにより、後壁部３１２で堰き止められた雨水は前方に流れ、左右の側壁部３１１の下端近傍では、下方のみならず両サイドに万遍なく雨水が流れるため、雨水が一挙に堰部３１から溢れることなくスムースに軒樋内に流すことができる。
【００２２】
さらに、本実施形態においては、上記アーム部３の側面には傾斜片４が斜め下方に傾斜して設けられ、傾斜片４の上端部４１は取付け基台１に固定されている。このように傾斜片４を斜設することにより、屋根の先端から内側に回って雫となって滴下する雨水は傾斜片４によって受けられ、軒樋に流される。そして、傾斜片４は、その上端部４１が取付け基台１に固定されているため、補強部としても機能する。
【００２３】
図２は、本発明にかかる軒樋支持具Ａを、取付け基台１に穿たれたビス孔６にビス５を挿通して鼻隠し板７に固定し、軒樋９を吊り下げ支持した状態を示す部分断面側面図である。図２に示すように、上記軒樋支持具Ａの前耳支持部２１には軒樋９の前耳部９１が掛止され、後耳支持部２３には軒樋９の後耳部９３が掛止され、かくして軒樋９は、軒樋支持具Ａに吊り下げ支持される。
【００２４】
図２に示されるように、屋根８からの雨水は、その先端から直下のアーム部３の上に落下する。そして、アーム部３の上面に設けられた堰部３１で溢れないように堰き止められ、案内され下端付近で下方のみならず両サイドに万遍なく流れ、軒樋９の底面９２に流下する。一方、屋根８の先端から内側に回って雫となって滴下する雨水は、上記アーム部３の側面に斜設された傾斜片４によって受けられ、軒樋９の底面９２に流される。
【００２５】
上記軒樋支持具Ａを構成する樹脂としては、例えば、ＰＣ（ポリカーボネート）樹脂、硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などのエンジニアリング樹脂を使用することができる。コスト、品質および成形性の面から、ＰＣ（ポリカーボネート樹脂）が好ましく用いられる。また、軒樋９としては、前記したように、硬質塩化ビニル樹脂、ポリカーボネート樹脂、ＡＢＳ樹脂などが用いられるが、コスト性、成形性等の観点から、特に硬質塩化ビニル樹脂が好ましく用いられる。
【００２６】
以上述べたように、本発明の軒樋支持具を使用することによって、上記アーム部３等、水平で雨水が滞留し易い部分に直接降りかかる雨や、屋根８の先端部から落下する雨水が上記アーム部３等の水平面からその側面を伝わって軒裏に回り、建物を傷めたり、雫となって軒裏地面に落ち、跳ね返って住宅の基礎を汚すこと等の問題を防ぐことができる。
【図面の簡単な説明】
【００２７】
【図１】本願発明の軒樋支持具の実施形態を示す斜視図。
【図２】本発明にかかる軒樋支持具を鼻隠し板にビス固定し、軒樋を吊り下げ支持した状態を示す部分断面側面図。
【図３】公知の軒樋支持具を示す斜視図。
【符号の説明】
【００２８】
Ａ      本願発明にかかる軒樋支持具
Ｂ      公知の軒樋支持具
１      取付け基台
２      支持部
２１    前耳支持部
２２    下面部
２３    後耳支持部
３      アーム部
３１    堰部
３１１  側壁部
３１２  後壁部
４      傾斜片
４１    上端部
５      ビス
６      ビス孔
７      鼻隠し板
８      屋根
９      軒樋
９１    前耳部
９２    底面
９３    後耳部
１ａ    公知の軒樋支持具における取付部
１１ａ  上記取付部における係止片
２ａ    公知の軒樋支持具における支持部
２１ａ  上記支持部における前耳支持部
２２ａ  上記支持部における下面部
２３ａ  上記支持部における板バネ片
３ａ    公知の軒樋支持具におけるアーム部
４ａ    公知の軒樋支持具におけるビス孔
【図１】
0005082733.tif 000002
【図２】
0005082733.tif 000003
【図３】
0005082733.tif 000004